(57)【要約】【課題】車両荷台上の前後、両側及び上部を覆う前面パネル、後面パネル、左右２面のサイドパネル及び天井パネルを備え、前記各パネルを展開し、前記荷台をステージとして使用するステージカーにおいて、各パネルの展開を自動で迅速に、かつ、安全に行うことができるステージカーを提供する。【解決手段】サイドパネル８は荷台４に対して、天井パネル９は一方のサイドパネル７に対して展開可能に取り付けられ、固定する前面パネル５と後面パネル６には、それぞれ背景補助パネル１１が開閉可能に連結され、前記サイドパネル８の前後両端部に補助ステージパネル１２、１３が開閉自在に連結され、サイドパネル８と補助ステージパネル１２、１３にはシリンダーによる支持脚２６の一端を軸支して収納可能とし、前面パネル５と後面パネル６の上端部から牽引ワイヤー２０を繰り出し可能とし、この牽引ワイヤー２０の先端はサイドパネル８と補助ステージパネル１２、１３とに掛着可能とした。【選択図】        図１
0003115317.tif 000002
【実用新案登録請求の範囲】
【請求項１】
車両荷台４上の前後、両側及び上部を覆う前面パネル５、後面パネル６、左右２面のサイドパネル７、８及び天井パネル９を備え、前記各パネルを展開し、前記荷台をステージとして使用するステージカーにおいて、
前記前面パネル５と一方のサイドパネル７と後面パネル６とは起立状態に固定され、
サイドパネル８は荷台４に対して、天井パネル９は一方のサイドパネル７に対して展開可能に取り付けられ、
前面パネル５と後面パネル６には、それぞれ背景補助パネル１１が開閉可能に連結され、前記他方のサイドパネル８の前後両端部に補助ステージパネル１２、１３が開閉自在に連結され、
サイドパネル８と補助ステージパネル１２、１３には扉２７付きの凹所２８を形成し、この凹所２８にシリンダーによる支持脚２６の一端を軸支して収納可能とし、
前面パネル５と後面パネル６の上端部から牽引ワイヤー２０を繰り出し可能とし、この牽引ワイヤー２０の先端はサイドパネル８と補助ステージパネル１２、１３とに掛着可能としたことを特徴とするステージカー。
【請求項２】
天井パネル９は、起立状態に固定された前面パネル５、後面パネル６でシリンダー２１による開閉手段を介して跳ね上げ方向に開閉自在に支えられる請求項１記載のステージカー。
【請求項３】
牽引ワイヤー２０は荷台４下に設けたウインチ２２で牽引される請求項１記載のステージカー。
【請求項４】
目隠し用パネル１４の前面パネル５と後面パネル６への回動接合部はＬ字形として荷台４側に畳み込んだ際にその前側に、サイドパネル８に重畳した補助ステージパネル１２、１３を重ねて収容するスペースを確保する請求項１ないし請求項３のいずれかに記載のステージカー。
【考案の詳細な説明】
【技術分野】
【０００１】
本考案は、所望の場所、例えば、屋外コンサート会場等に移動して、屋外ステージとして簡易に組み立てができるステージカーに関する。
【背景技術】
【０００２】
ステージをトラックに装備しようとする場合には、例えばパネルバン（車種）を改造し、荷台部分の側面のパネル板と後面のパネル板とを開放状態に倒せるようにし、荷台部分と倒された側面パネル及び後面パネルの広さでステージを形成するように構成することが提案でき、この種のステージカーとしては、下記特許文献のものが知られている。
【特許文献１】特公平４−５０２１５号公報
【０００３】
図１２〜図１６に示すように、ステージカー１は全体としては、運転台２の背面に箱状の収納部３が形成されたトラックである。
【０００４】
前記箱状の収納部３は、展開してステージを形成するためのものであり、該収納部は荷台４に対して前面パネル５、後面パネル６、両側のサイドパネル７、８及び天井パネル９で構成され、前記前面パネル５と一方のサイドパネル７とが起立状態に固定され、後面パネル６、他方のサイドパネル８及び天井パネル９が展開できるように構成する。
【０００５】
展開できる各パネルは例えば蝶番等の連結部材を介して取り付けられ、前記後面パネル６とサイドパネル８とは荷台４に対して連結され、前記天井パネル９は一方のサイドパネル７の上縁に連結されており、いずれも展開作業を容易行えるようにしてある。
【０００６】
このように連結された各パネルにおいて、前記一方のサイドパネル７の後両側には、前記後面パネル６と略対応する大きさの背景補助パネル１１が連結部材により開閉可能に連結され、前記他方のサイドパネル８の前後両端部に補助ステージパネル１２、１３が夫々連結部材を介して開閉自在に連結される。
【０００７】
前記他方のサイドパネル８は、ステージの大きさが変更できるように、長さ方向に沿って略中間付近で外側に二つ折りできる構成にし、その二つ折りできるパネル部分８ａ、８ｂは例えば蝶番等の連結部材により連結してある。
【０００８】
サイドパネル８の前後両端部に連設してある前記補助ステージパネル１２、１３も同様に連続して二つ折りできるように構成し、それらの各パネル部分１２ａ、１２ｂ、１３ａ、１３ｂの二つ折り部分にも前記同様に連結部材を介して連結してある。
【０００９】
更に、前記前面両側の補助ステージパネル１２には運転台２の目隠し用パネル１４が開閉自在に連結され、ステージ形成時に起立状態になって組み立て状に位畳し、運転台２を目隠しする。尚、この目隠し用パネル１４は前記前面側パネル５に開閉自在に連結しても良い。
【００１０】
前記天井パネル９はその一側が前記一方のサイドパネル７に蝶番等の連結部材を介して開閉自在に連結すると共に、略半開きの状態で使用される関係上、その半開きを支持するための複数の突支棒１５が装備されている。又、この天井パネルには種々の照明器具を取り付けるためのレール部材１６等も取付られている。尚、１７は解放した各パネルを支持するための脚部である。
【００１１】
前記ステージカー１は、その使用に当たって、パネルバンのトラックと同じように、各パネルを閉じて箱状の収納部３に形成し、その内部にコンサート等に必要な楽器類及び小道具を収納して移動し、屋外コンサートを開く所定の場所においてトラックを駐車する。
【００１２】
コンサートの規模によって、ステージを最大限に大きくする場合には、図  に示したように、後面パネル６と、他方のサイドパネル８及び前後の補助ステージパネル１２、１３を全部展開してステージとして使用するようにし、展開した各パネルに脚部１７により支持させ、これら各脚部１７は例えば垂れ幕等により目隠しする。
【００１３】
中位のコンサートの場合には、図１５に示したように、他方のサイドパネル８及び前後の両補助ステージパネルネ１２、１３を夫々二つ折りにし、パネル部８ａ、１２ａ、１３ａを夫々ステージとして使用し、パネル部８ｂ、１２ｂ、１３ｂを夫々前面側に垂らして脚部１７の目隠しとして使用する。
【００１４】
更に、小規模のコンサートの場合には、図１６に示したように、他方のサイドパネル８及び前後の両補助ステージパネル１２、１３を夫々二つ折りにしたたままの状態で前面側に垂れ下げ、荷台４と後面パネル６とでステージを形成すれば良い。いずれの展開状態においても、背景補助パネル１１と目隠し用パネル１４とは展開して使用され、ステージとして体裁の良い状態になる。
【考案の開示】
【考案が解決しようとする課題】
【００１５】
前記特許文献１のステージカーは、後面パネル６と、他方のサイドパネル８及び前後の補助ステージパネル１２、１３を全部展開してステージとして使用するものであるが、各パネルの展開は人手で行われ、展開途中での支持もすべて人がこれを行う。その結果、多数の作業員が必要となり、また、効率が悪いものである。
【００１６】
また、展開した各パネルに脚部１７により支持させるが、この脚部１７はその都度取り付けるものであり、その作業も面倒である。
【００１７】
本考案の目的は前記従来例の不都合を解消し、車両荷台上の前後、両側及び上部を覆う前面パネル、後面パネル、左右２面のサイドパネル及び天井パネルを備え、前記各パネルを展開し、前記荷台をステージとして使用するステージカーにおいて、各パネルの展開を自動で迅速に、かつ、安全に行うことができるステージカーを提供することにある。
【課題を解決するための手段】
【００１８】
本考案は前記目的を達成するため、第１に、車両荷台４上の前後、両側及び上部を覆う前面パネル５、後面パネル６、左右２面のサイドパネル７、８及び天井パネル９を備え、前記各パネルを展開し、前記荷台をステージとして使用するステージカーにおいて、前記前面パネル５と一方のサイドパネル７と後面パネル６とは起立状態に固定され、サイドパネル８は荷台４に対して、天井パネル９は一方のサイドパネル７に対して、蝶番等の連結部材を介して展開可能に取り付けられ、前面パネル５と後面パネル６には、それぞれ背景補助パネル１１が連結部材により開閉可能に連結され、前記他方のサイドパネル８の前後両端部に補助ステージパネル１２、１３が夫々連結部材を介して開閉自在に連結され、サイドパネル８と補助ステージパネル１２、１３には扉２７付きの凹所２８を形成し、この凹所２８にシリンダーによる支持脚２６の一端を軸支して収納可能とし、前面パネル５と後面パネル６の上端部から牽引ワイヤー２０を繰り出し可能とし、この牽引ワイヤー２０の先端はサイドパネル８と補助ステージパネル１２、１３とに掛着可能としたことを要旨とするものである。
【００１９】
第２に、天井パネル９は、起立状態に固定された前面パネル５、後面パネル６でシリンダー２１による開閉手段を介して跳ね上げ方向に開閉自在に支えられること、第３に、牽引ワイヤー２０は荷台４下に設けたウインチ２２で牽引されること、第４に、目隠し用パネル１４の前面パネル５と後面パネル６への回動接合部はＬ字形として荷台４側に畳み込んだ際にその前側に、サイドパネル８に重畳した補助ステージパネル１２、１３を重ねて収容するスペースを確保することを要旨とするものである。
【００２０】
請求項１記載の本考案によれば、他方のサイドパネル８はその両側を牽引ワイヤー２０で支承しながら、この牽引ワイヤー２０を繰り出すことで自動的に開くことができ、サイドパネル８を水平に固定した後では、これに重ねられて畳まれている補助ステージパネル１２、１３に前記牽引ワイヤーの先端を付け替え、補助ステージパネル１２、１３をこの牽引ワイヤー２０の牽引および繰り出しでサイドパネル８に対して水平に延設するように展開することができる。これら補助ステージパネル１２、１３やサイドパネル８を閉じる場合にも同じく牽引ワイヤー２０を使用して自動的に行うことができる。
【００２１】
また、シリンダーによる支持脚２６はサイドパネル８と補助ステージパネル１２、１３の扉２７付きの凹所に収納されているので、これを引き出すことにより、簡単かつ迅速に水平状態のサイドパネル８と補助ステージパネル１２、１３を支承でき、さらに、補助ステージパネル１２、１３やサイドパネル８を閉じる場合にはシリンダーによる支持脚２６は凹所２８に収納することで邪魔にならないですむ。
【００２２】
請求項２記載の本考案によれば、天井パネル９は、起立状態に固定された前面パネル５と後面パネル６とで当該天井パネル９を跳ね上げ方向に開閉させるシリンダー２１による開閉手段により支承されるので、安定した状態で支承できるとともに、風等に対しても跳ね上げた天井パネルをしっかり支えることができる。さらに、開閉程度もこの開閉手段で自由にかつきめ細かく選定できる。
【００２３】
請求項３記載の本考案によれば、牽引ワイヤー２０はウインチ２２で牽引されるので自動化に最適であり、また、このウインチ２２は荷台４下に設けられるので場所を取らないですむ。
【００２４】
請求項４記載の本考案によれば、収納時に各パネルを畳んだ際の安定性を考慮したものであり、箱状の収納部３に戻すため、サイドパネル８を起立させる場合に、荷台４側に畳み込んだ目隠し用パネル１４に、サイドパネル８に重畳した補助ステージパネル１２、１３を重ねて収容することができ、各パネルを相互に重ねて全体をコンパクトにかつ安定して収納することができる。
【考案の効果】
【００２５】
以上述べたように本考案のステージカーは、各パネルを展開し、前記荷台をステージとして使用するステージカーにおいて、各パネルの展開を自動で迅速に、かつ、安全に行うことができるものである。
【考案を実施するための最良の形態】
【００２６】
以下、図面について本考案の実施形態を詳細に説明する。図１は本考案のステージカーの１実施形態を示す斜視図で、前記従来例を示す図１２〜図１６と同一構成要素には同一参照符号を付したものである。
【００２７】
本考案のステージカー１も全体としては、運転台２の背面に箱状の収納部３が形成されたトラックである。なお、トラックではなく、トラクタに牽引されるトレーラの荷台に、ステージとして展開される収納部を形成してもよい。
【００２８】
前記箱状の収納部３は、展開してステージを形成するためのものであり、該収納部は荷台４に対して前面パネル５、後面パネル６、両側のサイドパネル７、８及び天井パネル９で構成され、前記前面パネル５と一方のサイドパネル７と後面パネル６とが起立状態に固定され、他方のサイドパネル８及び天井パネル９が展開できるように例えば蝶番等の連結部材により連結して構成する。
【００２９】
また、固定されている前面パネル５と後面パネル６には、目隠し用パネル１４が例えば蝶番等の連結部材により回動自在に連結される。
【００３０】
天井パネル９は、前面パネル５、後面パネル６との間に当該天井パネル９を跳ね上げ方向に開閉させる開閉手段としてシリンダー２１が配設される。
【００３１】
サイドパネル８は荷台４の長手方向にそって連結されるもので、このサイドパネル８の両端に、補助ステージパネル１２、１３がサイドパネル８に重畳可能に、また展開可能に例えば蝶番等の連結部材により連結される。サイドパネル８と補助ステージパネル１２、１３とはその奥行き幅がほぼ同じであり、荷台４に対して水平に展開するサイドパネル８に、補助ステージパネル１２、１３がその両側にこのサイドパネル８を延長するように水平に展開される。
【００３２】
これらサイドパネル８や、補助ステージパネル１２、１３を展開するために、本考案は前面パネル５と後面パネル６の上端部から牽引ワイヤー２０を繰り出し可能とし、この牽引ワイヤー２０の先端はサイドパネル８と補助ステージパネル１２、１３とに掛着可能とした。
【００３３】
荷台４下にウインチ２２を設けた、このウインチ２２から前記牽引ワイヤー２０を複数個のガイドローラー２３を介して前面パネル５と後面パネル６の上端部から繰り出し可能に導く。図７はこのように前面パネル５と後面パネル６の上端部から繰り出す場合のガイドガイドローラーの詳細を示すもので、牽引ワイヤー２０が上下方向および左右方向に振れても確実にガイドできるように、中間部のガイドローラー２３の前にローラー状の水平ガイドローラー２３ａを設けて上下角度の変化に対応し、さらにその前に垂直ガイドローラー２３ｂを並列に設けて左右の角度の変化に対応した。
【００３４】
図８に示すように、牽引ワイヤー２０の先端には開閉可能な係止輪体２４を設け、サイドパネル８と補助ステージパネル１２、１３にはこの係止輪体２４が係合するリング状フック２５を取り付ける。
【００３５】
図９に示すように、サイドパネル８と補助ステージパネル１２、１３は厚さを有するものであり、その内部を利用して扉２７付きの凹所２８を形成し、この凹所２８にシリンダーによる支持脚（アウトリガー）２６を設ける。支持脚２６はシリンダー本体２６ａとロッド２６ｂとロッド２６ｂの先端に回動自在に設けた接地板２６ｂからなるが、シリンダー本体２６ａの根元部を軸着することで、凹所２８から回転して引き出せる。なお、扉２７はこれを閉めることで、支持脚２６を凹所２８に収納時に外へ出ないようにする押さえの役割を有する。
【００３６】
図中２９はトラック側で荷台４の下に設けるアウトリガーである。３０はアルミトラスで、これを組み合わせて照明器具や舞台装置をセットするための支柱や梁として用いる。なお、アルミトラス３０の一部は予め天井パネル９の裏側などに組み込んでおき、また、必要に応じて適宜部材を継ぎ足して使用できるものである。
【００３７】
固定されている前面パネル５と後面パネル６には、目隠し用パネル１４が例えば蝶番等の連結部材により回動自在に連結される。図１に示すように目隠し用パネル１４の回動接合部１４ａはＬ字形として、この目隠し用パネル１４を前面パネル５と後面パネル６に対して直角になるように荷台４側に畳み込んだ際に回動接合部１４ａの鉤形分だけ奥に位置し、目隠し用パネル１４の表側に、サイドパネル８に重畳した補助ステージパネル１２、１３を重ねて収容するスペースを確保するようにした。
【００３８】
次に使用法を図２〜図５について説明する。荷台４に対して前面パネル５、後面パネル６、両側のサイドパネル７、８及び天井パネル９で構成された箱状の収納部３を有するトラックを平坦地、かつ地盤が強固な場所に止め、サイドブレーキを引き、左サイドミラー格納し、車輪止めをタイヤにセットする。
【００３９】
天井パネル９のロック（ウイングロック）を解除し、車の周囲に干渉物がない事を確認し、シリンダー２１を伸長して天井パネル９を開く。（図３参照）
【００４０】
サイドパネル８の凹所２８の扉２７を開き、内部の支持脚２６を９０°回転させてロックする。
【００４１】
アウトリガー２９を接地させる。
【００４２】
ウインチ２２を運転し、牽引ワイヤー２０を繰り出してゆくと、サイドパネル８が倒れていく。前後の牽引ワイヤー２０の出を確信しながら、バランスを取って倒す。
【００４３】
サイドパネル８を水平より少し上の方で止め、サイドパネル８の凹所２８より
支持脚２６を取り出し、サイドパネル８を水平にまで倒し、支持脚２６で支承する。
【００４４】
補助ステージパネル１２、１３のロック用ベルトを取外し、牽引ワイヤー２０の先端を補助ステージパネル１２、１３に付け替え、ウインチ２２で牽引ワイヤー２０を巻き上げ、補助ステージパネル１２、１３が垂直になる手前で止める。ここで補助ステージパネル１２、１３を手で外側に押し倒し、ウインチ２２から牽引ワイヤー２０を繰り出して補助ステージパネル１２、１３を外側に倒していく。
【００４５】
補助ステージパネル１２、１３の凹所２８より支持脚２６を取り出し、補助ステージパネル１２、１３を水平にまで倒し、支持脚２６で支承する。
【００４６】
目隠し用パネル１４を回転させて、その下端が補助ステージパネル１２、１３の上に乗る位置まで移動させる。
【００４７】
アルミトラス３０のタテ骨と天井のヨコ骨のセッティングを行う。
【００４８】
ステージ収納方法は前記と逆の動作となるが、アルミトラス３０による支柱上部取外し、他干渉物取外し、目隠し用パネル１４を回転させて、前面パネル５と後面パネル６に直角になるまで内側に回動させ、補助ステージパネル１２、１３を牽引ワイヤー２０で畳み、さらに、牽引ワイヤー２０でサイドパネル８を垂直まで引き上げる。
【００４９】
なお、途中で凹所２８内に支持脚２６を収納し、飛び出さないように扉２７で押さえる。
【００５０】
アウトリガー２９を縮め、シリンダー２１を縮小して天井パネル９を閉じる
【図面の簡単な説明】
【００５１】
【図１】本考案のステージカーの１実施形態を示す斜視図である。
【図２】本考案のステージカーのパネル展開時の第１段階を示す側面図である。
【図３】本考案のステージカーのパネル展開時の第２段階を示す側面図である。
【図４】本考案のステージカーのパネル展開時の第３段階を示す側面図である。
【図５】本考案のステージカーのパネル展開時の第４段階を示す側面図である。
【図６】本考案のステージカーのパネル展開時の完了段階の側面図である。
【図７】牽引ワイヤー繰り出し部の説明図である。
【図８】牽引ワイヤー先端部の正面図である。
【図９】補助ステージパネル展開時の第１段階を示す正面図である。
【図１０】補助ステージパネル展開時の第２段階を示す正面図である。
【図１１】補助ステージパネル展開時の第３段階を示す正面図である。
【図１２】従来のステージカーのパネル展開時の第１段階を示す側面図である。
【図１３】従来のステージカーのパネル展開時の第２段階を示す側面図である。
【図１４】従来のステージカーのパネル展開時の第３段階を示す側面図である。
【図１５】従来のステージカーのパネル展開時の第４段階を示す側面図である。
【図１６】従来のステージカーのパネル展開時の第５段階を示す側面図である。
【符号の説明】
【００５２】
１…ステージカー                ２…運転台
３…収納部                      ４…荷台
５…前面パネル                  ６…後面パネル
７、８…サイドパネル            ８ａ、８ｂ…パネル部分
９…天井パネル                  １１…背景補助パネル
１２、１３…補助ステージパネル
１２ａ、１２ｂ、１３ａ、１３ｂ…パネル部分
１４…目隠し用パネル            １４ａ…回動接合部
１５…突支棒
１６…レール部材                １７…脚部
２０…牽引ワイヤー              ２１…シリンダー
２２…ウインチ                  ２３、２３ａ、２３ｂ…ガイドローラー
２４…係止輪体                  ２５…リング状フック
２６…支持脚                    ２６ａ…シリンダー本体
２６ｂ…ロッド                  ２６ｃ…接地板
２７…扉                        ２９…アウトリガー
２８…凹所                      ３０…アルミトラス
【図１】
0003115317.tif 000003
【図２】
0003115317.tif 000004
【図３】
0003115317.tif 000005
【図４】
0003115317.tif 000006
【図５】
0003115317.tif 000007
【図６】
0003115317.tif 000008
【図７】
0003115317.tif 000009
【図８】
0003115317.tif 000010
【図９】
0003115317.tif 000011
【図１０】
0003115317.tif 000012
【図１１】
0003115317.tif 000013
【図１２】
0003115317.tif 000014
【図１３】
0003115317.tif 000015
【図１４】
0003115317.tif 000016
【図１５】
0003115317.tif 000017
【図１６】
0003115317.tif 000018